(57)【特許請求の範囲】
【請求項１】
円筒面状の外周面を有する大容量コンデンサを、第１のケースと第２のケースとの間で保持するように構成した大容量コンデンサのケースへの固定構造であって、
前記第１のケースには、大容量コンデンサを弾性的に保持する弾性保持手段を設け、
前記第２のケースには、大容量コンデンサの外周面に当接し、かつこの外周面に対して接線方向を向く傾斜面を有する保持部材を設けてなり、
この保持部材は、前記弾性保持手段に保持される前記コンデンサの外周面の反対側の外周面の周方向の一方の側にコンデンサの軸方向に沿って２つ、これらの間を含む他方の側にコンデンサの軸方向に沿って１つ設けて、前記弾性保持手段側へ３つの保持部材により３点で前記コンデンサの外周面を押圧することを特徴とする大容量コンデンサのケースへの固定構造。
【請求項２】
請求項１記載の大容量コンデンサのケースへの固定構造において、一方の側に設けた保持部材の傾斜面と、他方の側に設けた保持部材の傾斜面とは、弾性保持手段から大容量コンデンサの軸心を通る力の作用線に対して左右対称になっていることを特徴とする大容量コンデンサのケースへの固定構造。
【発明の詳細な説明】
【０００１】
【発明の属する技術分野】
この発明は、円筒面状の外周面を有する大容量コンデンサをケースに固定するための大容量コンデンサのケースへの固定構造に関する。
【０００２】
【従来の技術】
この種の大容量コンデンサのケースへの固定構造としては、例えば図８に示すものがある。この固定構造は、ケース１に円弧状に湾曲した一対の爪１ａを設け、この爪１ａによって円筒面状の外周面を有する大容量コンデンサ２を保持するようになっている。
【０００３】
また、大容量コンデンサのケースへの固定構造としては、図９に示すようなものもある。この固定構造は、円弧状に湾曲したクランプ部材３をケース１にネジ４で固定することによって、クランプ部材３とケース１とで大容量コンデンサ２を保持するようになっている。
【０００４】
【発明が解決しようとする課題】
ところが、上記大容量コンデンサのケースへの固定構造においては、爪１ａを有するもの（図８）の場合も、クランプ部材３を有するもの（図９）の場合も、大容量コンデンサ２の外径が変化すると、大容量コンデンサ２が取り付け不能になったり、２点鎖線で示すように、大容量コンデンサ２がガタついてしまったりするという問題があった。
【０００５】
この発明は上記問題を解決するためになされたものであり、その目的は大容量コンデンサの外径が変化しても、この大容量コンデンサを確実に固定することのできる大容量コンデンサのケースへの固定構造を提供することにある。
【０００６】
【課題を解決するための手段】
上記目的を達成するために、請求項１に係る発明は、円筒面状の外周面を有する大容量コンデンサを、第１のケースと第２のケースとの間で保持するように構成した大容量コンデンサのケースへの固定構造であって、前記第１のケースには、大容量コンデンサを弾性的に保持する弾性保持手段を設け、前記第２のケースには、大容量コンデンサの外周面に当接し、かつこの外周面に対して接線方向を向く傾斜面を有する保持部材を設けてなり、この保持部材は、前記弾性保持手段に保持される前記コンデンサの外周面の反対側の外周面の周方向の一方の側にコンデンサの軸方向に沿って２つ、これらの間を含む他方の側にコンデンサの軸方向に沿って１つ設けて、前記弾性保持手段側へ３つの保持部材により３点で前記コンデンサの外周面を押圧することを特徴とする。
【０００７】
請求項２に係る発明は、請求項１に係る発明において、一方の側に設けた保持部材の傾斜面と、他方の側に設けた保持部材の傾斜面とは、弾性保持手段から大容量コンデンサの軸心を通る力の作用線に対して左右対称になっていることを特徴としている。
【０００８】
そして、上記のように構成された請求項１に係る発明においては、大容量コンデンサの外径が変化しても、この変化量を弾性保持手段によって吸収することができるとともに、大容量コンデンサの外周面を接線方向を向く傾斜面によって確実に保持することができる。また、大容量コンデンサの軸心に対して一方の側に２つの保持部材を設け、これらの間の他方の側に１つの保持部材を設けた場合には、大容量コンデンサを３点支持により安定的に保持することができる。
【０００９】
請求項２に係る発明においては、一方の側に設けた保持部材の傾斜面と、他方の側に設けた保持部材の傾斜面とが弾性保持手段から大容量コンデンサの軸心を通る力の作用線に対して左右対称になっているから、大容量コンデンサの左右への移動を均等に防止することができる。
【００１０】
【発明の実施の形態】
以下、この発明の実施の形態を実施例に基づき図１〜図７を参照して説明する。この実施例で示す大容量コンデンサのケースへの固定構造は、図１〜図７に示すように、円筒面状の外周面を有する大容量コンデンサ２を、下ケース（第１のケース）５と上ケース（第２のケース）６との間で保持するように構成したものである。そして、下ケース５には、大容量コンデンサ２を弾性的に保持する弾性マット（弾性保持手段）７を設け、上ケース６には、大容量コンデンサ２の外周面に当接し、かつこの外周面に対して接線方向を向く傾斜面８ａを有するリブ（保持部材）８を設けている。
【００１１】
弾性マット７は、ＥＰＤＭ（エチレンプロピレンゴム）によって四角形状の厚板状に形成したものである。また、リブ８は、大容量コンデンサ２の軸心２０に対して一方の側に２つ、これらの間の他方の側に１つ設けられている。この他方の側のリブ８は、一方の側の２つのリブ８の中央に位置している。
【００１２】
そして、一方の側のリブ８の傾斜面８ａと、他方の側のリブ８の傾斜面８ａとは、図２に示すように、弾性マット７から大容量コンデンサ２の軸心２０を通る力の作用線２１に対して左右対称になっている。すなわち、一方の側の傾斜面８ａと、他方の側の傾斜面８ａとの交点８０が上記作用線２１上に位置するようになっている。
【００１３】
また、下ケース５及び上カバー６は、ガス遮断装置のハウジングを構成するものであり、それぞれが樹脂により一体に形成されている。そして、下ケース５には、図１、図４、図７に示すように、弾性マット７を保持する四角形状の枠５ａが一体に形成されている。一方、上ケース６には、図１、図３、図４、図５、図６に示すように、上述したリブ８が一体に形成されているとともに、大容量コンデンサ２の端面２ａを保持するストッパ９が一体に形成されている。
【００１４】
さらに、下ケース５及び上カバー６は、配線板１０を保持するようにもなっている。そして、大容量コンデンサ２が大きなものであるために（この実施例では直径が２６ｍｍ）、この大容量コンデンサ２を配線板１０に取り付けることができず、このため下ケース５と上ケース６とで挟み付けるようにして大容量コンデンサ２を保持するようにしている。配線板１０には、大容量コンデンサ２を避けるための切欠１０ａが形成されている。
【００１５】
上記のように構成された大容量コンデンサのケースへの固定構造においては、大容量コンデンサ２の外径が変化しても、この変化量を弾性マット７によって吸収することができるとともに、大容量コンデンサ２の外周面を接線方向を向く傾斜面８ａによって確実に保持することができる。特に、リブ８においては、大容量コンデンサ２が図２の２点鎖線で示すように変化しても、大容量コンデンサ２の外周面を接線方向を向く傾斜面８ａによって確実に保持することができる。
【００１６】
したがって、大容量コンデンサ２の外径が所定の公差（例えば、１ｍｍ程度の増加、減少）で変化する場合や、外径の異なる他の大容量コンデンサ２に変更された場合でも、この大容量コンデンサ２を確実に固定することができる。そしてまた、弾性マット７の弾性変位では吸収できないほど大容量コンデンサ２の外径が変化した場合には、弾性マット７の厚さを変更するだけで対応することができる。したがって、このような場合にも、コストの増加を最小限に抑えることができる。
【００１７】
また、大容量コンデンサ２の軸心２０に対して一方の側に２つのリブ８を設け、他方の側に１つのリブ８を設けているから、大容量コンデンサ２を３点支持により安定的に保持することができる。特に、他方の側のリブ８を一方の側のリブ８、８の間の中央に設けているから、大容量コンデンサ２をより安定的に保持することができる。
【００１８】
さらに、一方の側に設けたリブ８の傾斜面８ａと、他方の側に設けたリブ８の傾斜面８ａとが弾性マット７から大容量コンデンサ２の軸心２０を通る力の作用線２１に対して左右対称になっているから、大容量コンデンサ２の左右への移動を均等に防止することができる。したがって、この点からも大容量コンデンサ２を安定的に保持することができる。
【００１９】
また、ネジで止めるような構造のものがないから、組み立ての作業性が向上するという利点がある。
【００２０】
なお、上記実施例においては、一方の側にリブ８を２つ設け、他方の側にリブ８を１つ設けるように構成したが、両側ともに、さらに多くのリブ８を設けるように構成してもよい。この場合、他方の側には、一方の側のリブ２の間に、少なくとも１つのリブ８を設ける必要がある。また、３点支持によって安定させる上では、一方の側にリブ８を２つ設け、これらの間の他方の側にリブ８を設けることが好ましい。
【００２１】
【発明の効果】
請求項１に係る発明においては、大容量コンデンサの外径が変化しても、この変化量を弾性保持手段によって吸収することができるとともに、大容量コンデンサの外周面を接線方向を向く傾斜面によって確実に保持することができる。また、大容量コンデンサの軸心に対して一方の側に２つの保持部材を設け、これらの間の他方の側に１つの保持部材を設けた場合には、大容量コンデンサを３点支持により安定的に保持することができる。
【００２２】
請求項２に係る発明においては、一方の側に設けた保持部材の傾斜面と、他方の側に設けた保持部材の傾斜面とが弾性保持手段から大容量コンデンサの軸心を通る力の作用線に対して左右対称になっているから、大容量コンデンサの左右への移動を均等に防止することができる。
【図面の簡単な説明】
【図１】この発明の一実施例として示した大容量コンデンサのケースへの固定構造の要部断面図。
【図２】同大容量コンデンサのケースへの固定構造の要部断面図。
【図３】同大容量コンデンサのケースへの固定構造におけるリブを示す要部説明図。
【図４】同大容量コンデンサのケースへの固定構造の分解断面図。
【図５】同大容量コンデンサのケースへの固定構造を示す図であって、図４のＶ−Ｖ線に沿う矢視図。
【図６】同大容量コンデンサのケースへの固定構造を示す図であって、図４のVI−VI線に沿う矢視図。
【図７】同大容量コンデンサのケースへの固定構造を示す図であって、図４のVII −VII 線に沿う矢視図。
【図８】従来例として示した大容量コンデンサのケースへの固定構造の要部断面図。
【図９】他の従来例として示した大容量コンデンサのケースへの固定構造の要部断面図。
【符号の説明】
２  大容量コンデンサ
５  第１のケース（下ケース）
６  第２のケース（上ケース）
７  弾性保持手段（弾性マット）
８  保持部材（リブ）
８ａ  傾斜面
２０  軸心
２１  作用線
【図１】
0003868572.tif 000002
【図２】
0003868572.tif 000003
【図３】
0003868572.tif 000004
【図４】
0003868572.tif 000005
【図５】
0003868572.tif 000006
【図６】
0003868572.tif 000007
【図７】
0003868572.tif 000008
【図８】
0003868572.tif 000009
【図９】
0003868572.tif 000010